【事件の表示】
　特願２００１−２３９８５９「マトリクス型画像表示装置」拒絶査定不服審判事件〔平成１５年　２月２１日出願公開、特開２００３−　５０５６８〕について、次のとおり審決する。
【結　論】
　本件審判の請求は、成り立たない。
【理　由】
１　手続の経緯
　本願は、平成１３年８月７日の出願であって、平成１８年３月７日付け（発送日：平成１８年３月１４日）で拒絶査定がなされ、これに対して平成１８年４月１３日に拒絶査定不服審判の請求がなされるとともに、同年５月１０日付けで明細書を対象とする手続補正がなされたものである。
　
２　本願発明について
　本願の請求項１に係る発明は、平成１８年５月１０日付けの手続補正により補正された明細書及び図面の記載からみて、請求項１に記載された事項によって特定される以下のとおりのものと認める。（以下「本願発明」という。）
　
「【請求項１】
　マトリクス状に配置された複数の画素と該画素の各列に配置された複数のデータ信号線及び該画素の各行に対応して配置された複数の走査信号線と、各走査信号線から供給される走査信号に同期して各データ信号線から各画素に画像表示のための映像信号を取りこみ保持する表示部と、該複数のデータ信号線に所定のデータ信号線用タイミング信号に同期して映像信号を出力するデータ信号線駆動回路と、該複数の走査信号線に所定の走査信号線用タイミング信号に同期して走査信号を出力する走査信号線駆動回路とを備えたマトリクス型画像表示装置において、
　上記走査信号線駆動回路は、物理的な最大垂直解像度よりも低い垂直解像度を持つ映像信号を映像ソースとして用いて表示するときに、
　垂直方向の互いに隣り合う一定複数個毎の走査信号線を１セットとして、該一定複数個毎に同時に順次アクティブ駆動する一方、
　アクティブ駆動に際して、画素を本書き込みする前に該画素を予備充電しておくとともに、垂直方向先行側の一定複数個の１セットの画素を本書き込みするときには、該垂直方向先行側の画素と同極性の電位にて本書き込みを行うべき次の垂直方向後行側の一定複数個の１セットの画素に対しても同時に予備充電を行うと共に、
　本書き込みは複数の第１セットの走査線に対して行われる一方、予備充電は該第１セットとは異なる第２セットの走査線に対して行われ、
　かつ垂直方向の互いに隣り合う一定複数個毎の走査信号線を１セットとして、該一定複数個毎に同時に順次アクティブ駆動することにより、これら同時に駆動された該一定複数個の走査信号線に対応する画素行に同値の電位が書き込まれることを特徴とするマトリクス型画像表示装置。」
　
３　引用刊行物に記載された発明
（１）原査定の拒絶の理由に引用され、本願の出願前に頒布された刊行物である特開平４−３０９９２０号公報（以下、「引用刊行物１」という。）には、「液晶表示装置の駆動方法」の発明に関して、図面とともに以下の事項が記載されている。
　
＜記載事項１＞
「【０００１】
【産業上の利用分野】本発明は液晶表示装置の駆動方法に係り、特に各画素毎にスイッチング素子を備えた液晶表示装置の駆動方法に関する。
【０００２】
【従来の技術】近年、液晶表示装置は軽量、小型、低消費電力の特徴を生かして種々の分野で利用されるようになってきた。
【０００３】中でも、各画素毎に薄膜トランジスタ等のスイッチング素子が設けられて成るアクティブマトリックス型液晶表示装置は、スタテック駆動と同等に良好な表示品位が得られることから近年特に注目を集めている。」
　
＜記載事項２＞
「【００１２】
【作用】本発明は、上述したように少なくとも１走査線毎乃至４走査線毎に液晶組成物に印加される電圧の極性を反転させると共に、第１の走査線の走査時の印加電圧と極性が等しい最隣接の第２の走査線を予備走査するものである。１走査線毎乃至４走査線毎に印加電圧の極性を反転させることにより、フィールド期間（Ｔ）毎に発生するフリッカを抑えることができる。
【００１３】フリッカを最小限に抑えるには１走査線毎に印加電圧の極性を反転させることが好ましいが、少なくとも４走査線毎に印加電圧の極性を反転させることにより十分にフリッカを抑えられることが実験により確認された。
【００１４】また、一走査線の走査時に印加電圧の極性が等しい走査線を予備走査しておくことにより、予備走査された走査線には予め所定の電荷が保持されることとなる。従って、予備走査された走査線を実際に走査する際には、チャンネル幅が狭く形成されるスイッチング素子を用いた場合であっても、十分な書き込みを行なうことができる。そして、この予備走査は、一走査線の走査時の印加電圧と極性が等しい最隣接の走査線について行うことにより、予備走査の十分な効果が得られる。
【００１５】即ち、実走査線と予備走査線との距離間隔が大きいと、実際の走査時に印加される電圧レベルが両者間で異なってくることが多く、予備走査による電荷が実走査時に有用でなくなってしまう。これに対して、実走査線の走査時の印加電圧と極性が等しい最隣接の走査線を選択して予備走査線を行うことにより、予備走査時に保持された電荷を最大限に生かして実走査時の画素電極への書き込みを行うことができる。」
　
＜記載事項３＞
「【００１６】
【実施例】以下、本発明の液晶表示装置の駆動方法の一具体例を図面を参照して詳細に説明する。
【００１７】本実施例で使用される液晶表示装置（１）　は、例えば図１に示すように複数本の信号電極（１１）と走査電極（１５）とがマトリックス状に形成され、各交点部に薄膜トランジスタ（２１）を介して接続された画素電極（２５）と、この画素電極（２５）に対向する共通電極（２７）とによって液晶組成物（３１）が挟持されて構成され、この共通電極（２７）は共通な共通電圧駆動手段（５１）に接続されている。
【００１８】また、図２に示すように各走査電極（１５）はシフトレジスタより成る走査電極駆動回路（６１）に接続されており、各信号電極（１１）は信号電極駆動回路（１０１）　に接続されている。
【００１９】本発明の一実施例を実現するための信号電極駆動回路（１０１）の具体的な構成としては、図２に示すように例えば入力されるアナログ映像信号（ＶＤ）をサンプリングタイミング信号（ＳＰ）に基づいてサンプリングし並列に出力する直並列変換回路（７１）と、直並列変換回路（７１）からの出力を保持しラッチ信号（ＬＡ）に基づいて１ライン分出力するラッチ回路（８１）と、このラッチ回路（８１）からの出力信号の極性を１走査期間（Ｈ）毎に反転させる極性選択手段（９１）とによって構成すると良い。
【００２０】そして、この極性選択手段（９１）は、ラッチ回路（８１）からの出力信号の極性を反転させるためのインバータ（９５）が接続された系と、ラッチ回路（８１）からの出力信号を同極性で出力する系とに切替信号（ＳＴ）に従って一走査線ごとに切り替える切替回路（９３）とによって構成されている。このような液晶表示装置（１）　の駆動方法について、図３を参照して説明する。
【００２１】信号電極駆動回路（１０１）　の直並列変換回路（７１）には、アナログ映像信号（ＶＤ）が入力され、所定のサンプリングタイミング信号（ＳＰ）に基づいてサンプリングされラッチ回路（８１）に出力される。そして、１走査線分の出力信号がラッチ回路（８１）に保持されると、ラッチ信号（ＬＡ）のタイミングに基づいて極性選択手段（９１）に出力される。
【００２２】この極性選択手段（９１）へ入力されるラッチ回路（８１）からの出力信号は、切替信号（ＳＴ）に従ってスイッチング動作を行う切替回路（９３）により１水平走査期間（Ｈ）毎にインバータ（９５）が接続された系が選択されるため、各信号電極（１１）には図３に示すように１水平走査期間（Ｈ）毎に極性が反転した信号電圧（ＳＶ）が入力されることとなる。
【００２３】走査電極駆動回路（６１）には、シフトクロック（ＣＫ）とデ―タ信号（ＤＩＮ）が入力され、シフトクロック（ＣＫ）立ち上がり時刻のデ―タ信号（ＤＩＮ）が順次転送される。デ―タ信号（ＤＩＮ）には、図３に示すように、１水平走査期間（Ｈ）アクティブとなる第１のパルスと、このパルスよりも２水平走査期間（Ｈ）遅れてアクティブとなる第２のパルスを入力する。
【００２４】そして、このデ―タ信号（ＤＩＮ）はシフトクロック（ＣＫ）により順次転送されて、１水平走査期間（Ｈ）間隔をおいて予備走査用ゲートパルスと実走査用ゲートパルスが各走査線（１５）にゲート電圧（ＳＸ）として印加されることとなる。
【００２５】例えば、図３に示す第１のフレーム期間（１Ｔ）の第１の水平走査期間（１Ｈ）についてみると、走査電極（Ｘ１　）（１５）には実走査用ゲートパルスが入力されると共に、走査電極（Ｘ３　）（１５）には予備走査用ゲートパルスが入力されることとなる。
【００２６】従って、走査電極（Ｘ１　）に接続される各画素電極（２５）には実走査用ゲートパルスが入力され、正極性の信号電圧（ＳＶ１　）が印加され１走査線の画像が表示されることとなる。
【００２７】また、走査電極（Ｘ３　）（１５）に接続される各画素電極（２５）については予備走査用ゲートパルスが入力され、走査電極（１５）Ｘ１に接続される各画素電極（２５）に印加されると同一の正極性の信号電圧（ＳＶ１　）が印加され予備走査されることとなる。
【００２８】第２の走査期間（２Ｈ）では、走査電極（Ｘ２　）（１５）に接続される各画素電極（２５）には負極性の信号電圧（ＳＶ２　）が印加され１走査線の画像が表示されることとなり、また走査電極（Ｘ４）（１５）に接続される各画素電極（２５）についても負極性の信号電圧（ＳＶ２　）が印加され予備走査されることとなる。
【００２９】更に第３の走査期間（３Ｈ）では、走査電極（Ｘ３　）（１５）に接続される各画素電極（２５）には実走査用ゲートパルスが入力され、再び正極性の信号電圧（ＳＶ３）が印加され１走査線の画像が表示されることとなり、また走査電極（Ｘ５　）（１５）に接続される各画素電極（２５）についても正極性の信号電圧（ＳＶ３　）が印加され予備走査されることとなる。
【００３０】このように、所定の走査線に印加される信号電圧（ＳＶ）の極性と等しい最隣接走査線の走査時に予備走査しておくことにより、実走査時における書き込み電流不足を解消することができる。また、１走査線毎に信号電圧（ＳＶ）の極性を反転させることにより、フリッカを最小限に抑えることができる。」
　
　図面の図１からみて、画素電極２５、液晶組成物３１、共通電極２７を含む複数の画素がマトリクス状に配置されており、画素の各列に対応して複数の信号電極１１が配置され、画素の各行に対応して複数の走査電極１５が配置されていることが見て取れる。
　
　図面の図２からみて、液晶表示装置１が、信号電極駆動回路１０１と、シフトレジスタより成る走査電極駆動回路６１と、両駆動回路により駆動される表示部とを有していることが見て取れる。
　
　図面の図３からみて、第１の水平走査期間（１Ｈ）が第３の水平走査期間（３Ｈ）よりも前であることが見て取れる。
　
　したがって、上記記載事項１−３、図面に基づけば、引用刊行物１には、
「マトリクス状に配置された複数の画素と該画素の各列に配置された複数の信号電極１１及び該画素の各行に対応して配置された複数の走査電極１５と、表示部と、該複数の信号電極１１にラッチ信号ＬＡに従って映像信号に基づく信号電圧ＳＶを出力する信号電極駆動回路１０１と、該複数の走査電極１５に、シフトクロックＣＫにより順次転送される予備走査用ゲートパルスと実走査用ゲートパルスを印加する走査電極駆動回路６１とを備えたアクティブマトリックス型液晶表示装置において、
　上記走査電極駆動回路６１は、走査電極駆動に際して、走査電極Ｘ３に接続される画素電極に正極性の信号電圧ＳＶ３を印加して画像が表示される第３の走査期間（３Ｈ）より前の第１の走査期間（１Ｈ）に前記画素電極に正極性の信号電圧ＳＶ１を印加して予め所定の電荷を保持させるとともに、走査電極Ｘ１に接続される画素電極に正極性の信号電圧ＳＶ１が印加されて画像が表示される第１の走査期間（１Ｈ）に、走査電極Ｘ１に接続される画素電極に印加されるのと同じ正極性の信号電圧ＳＶ３が印加されて画像が表示される走査電極Ｘ３に接続される画素電極に対しても同時に信号電圧ＳＶ１を印加して予め所定の電荷を保持させると共に、
　画像を表示するための信号電圧ＳＶ１の印加は走査電極Ｘ１に対して行われる一方、予め所定の電荷を保持させるための信号電圧ＳＶ１の印加は走査電極Ｘ１とは異なる走査電極Ｘ３に対して行われる
アクティブマトリックス型液晶表示装置。」
の発明（以下、「引用発明１」という。）が記載されている。
　
（２）原査定の拒絶の理由に引用され、本願の出願前に頒布された刊行物である特開平１−１１６５９２号公報（以下、「引用刊行物２」という。）には、図面とともに以下の事項が記載されている。
　
＜記載事項４＞
「〔発明が解決しようとする問題点〕
　上述した従来の表示装置は、例えば、６４０×４００ドットの表示装置においては、６４０×４００ラインモードの表示しかできず、６４０×２００ドットの表示装置においては、６４０×２００ラインモードの表示しかできなかった。したがって、それぞれ専用のインターフェース信号を必要とし、６４０×４００ドットの表示装置では、６４０×２００ドットの表示装置のインターフェース信号では駆動することができないという欠点があった。
　上述した従来の表示装置に対し、本発明は、従来の前記駆動方式に加え、Ｙ電極（走査電極）を複数電極毎に順次選択する走査機能を同時に持ち、これらの単電極走査方式と、複数電極走査方式の切換が可能であるという相違点を有する。
　この複数電極走査方式とは、例えば、Ｙ電極（走査電極）を走査する時まず、Ｙ１、Ｙ２を同時選択し、選択期間終了後、次の２電極Ｙ３、Ｙ４を同時選択し、さらに、Ｙ５、Ｙ６、続いて、Ｙ７、Ｙ８へと順次選択していく走査方式である。」（第１頁右欄第６行−第２頁左上欄第７行）
　
＜記載事項５＞
「〔発明の効果〕
　以上説明したように本発明は、単電極走査方式と、複数電極走査方式を合わせ持つことにより、例えば、６４０×４００ドットの表示容量を持つ表示素子を備えた表示装置において、４００ドット側を走査電極とすれば、単電極走査により、６４０×４００ラインの表示、２電極走査により、６４０×２００ラインの表示、４電極走査により６４０×１００ラインの表示等、複数の表示モードを実現できる効果がある。」（第２頁左下欄第９−１８行）
　
　したがって、引用刊行物２には以下の事項が記載されている。
　
ア　６４０×４００ドットの表示容量を持つ表示素子を備えた表示装置において、６４０×２００ラインの表示を行うときは、走査電極Ｙ１、Ｙ２を同時に選択し、続いて次の２電極Ｙ３、Ｙ４を同時に選択し、さらにＹ５、Ｙ６へと順次に２電極を同時選択していく２電極走査を行うこと。（記載事項４−５）
　
４　対比
　本願発明と引用発明１とを対比すると、引用発明１における「信号電極１１」、「走査電極１５」は、それぞれ本願発明の「データ信号線」、「走査信号線」に相当する。
　
　引用発明１はアクティブマトリックス型液晶表示装置であり、引用発明１の「表示部」が、走査信号に同期して各画素に画像表示のための映像信号を取りこみ保持していることは明らかであるから、引用発明１の「表示部」は、本願発明の「各走査信号線から供給される走査信号に同期して各データ信号線から各画素に画像表示のための映像信号を取りこみ保持する表示部」に相当する。
　
　引用発明１の「ラッチ信号ＬＡ」、「信号電極駆動回路１０１」は、それぞれ本願発明の「所定のデータ信号線用タイミング信号」、「データ信号線駆動回路」に相当するから、引用発明１の「該複数の信号電極１１にラッチ信号ＬＡに従って映像信号に基づく信号電圧ＳＶを出力する信号電極駆動回路１０１」は、本願発明の「該複数のデータ信号線に所定のデータ信号線用タイミング信号に同期して映像信号を出力するデータ信号線駆動回路」に相当する。
　
　引用発明１の「シフトクロックＣＫ」、「予備走査用ゲートパルスと実走査用ゲートパルス」、「走査電極駆動回路６１」は、それぞれ本願発明の「所定の走査信号線用タイミング信号」、「走査信号」、「走査信号線駆動回路」に相当するから、引用発明１の「該複数の走査電極１５に、シフトクロックＣＫにより順次転送される予備走査用ゲートパルスと実走査用ゲートパルスを印加する走査電極駆動回路６１」は、本願発明の「該複数の走査信号線に所定の走査信号線用タイミング信号に同期して走査信号を出力する走査信号線駆動回路」に相当する。
　
　引用発明１の「アクティブマトリックス型液晶表示装置」は、本願発明の「マトリクス型画像表示装置」に相当する。
　
　引用発明１の走査電極駆動は、画素毎に設けられたアクティブ素子であるスイッチング素子を駆動するものであるから、引用発明１の「走査電極駆動」は、本願発明の「アクティブ駆動」に相当する。
　
　引用発明１の「走査電極Ｘ３に接続される画素電極に正極性の信号電圧ＳＶ３を印加して画像が表示される第３の走査期間（３Ｈ）より前の第１の走査期間（１Ｈ）に前記画素電極に正極性の信号電圧ＳＶ１を印加して予め所定の電荷を保持させるとともに」は、本願発明の「画素を本書き込みする前に該画素を予備充電しておくとともに」に相当する。
　
　引用発明１において、走査電極Ｘ１が駆動された後に、走査電極Ｘ３が駆動されているから、引用発明１の「走査電極Ｘ１に接続される画素電極」と本願発明の「垂直方向先行側の一定複数個の１セットの画素」とは、「垂直方向先行側の画素」という点で共通し、また引用発明１の「走査電極Ｘ３に接続される画素電極」と本願発明の「垂直方向後行側の一定複数個の１セットの画素」とは、「垂直方向後行側の画素」という点で共通する。
　したがって、引用発明１の「走査電極Ｘ１に接続される画素電極に正極性の信号電圧ＳＶ１が印加されて画像が表示される第１の走査期間（１Ｈ）に、走査電極Ｘ１に接続される画素電極に印加されるのと同じ正極性の信号電圧ＳＶ３が印加されて画像が表示される走査電極Ｘ３に接続される画素電極に対しても同時に信号電圧ＳＶ１を印加して予め所定の電荷を保持させる」と、本願発明の「垂直方向先行側の一定複数個の１セットの画素を本書き込みするときには、該垂直方向先行側の画素と同極性の電位にて本書き込みを行うべき次の垂直方向後行側の一定複数個の１セットの画素に対しても同時に予備充電を行う」とは、「垂直方向先行側の画素を本書き込みするときには、該垂直方向先行側の画素と同極性の電位にて本書き込みを行うべき次の垂直方向後行側の画素に対しても同時に予備充電を行う」という点で共通する。
　
　引用発明１の「画像を表示するための信号電圧ＳＶ１の印加は走査電極Ｘ１に対して行われる一方、予め所定の電荷を保持させるための信号電圧ＳＶ１の印加は走査電極Ｘ１とは異なる走査電極Ｘ３に対して行われ」と、本願発明の「本書き込みは複数の第１セットの走査線に対して行われる一方、予備充電は該第１セットとは異なる第２セットの走査線に対して行われ」とは、「本書き込みは第１の所定の走査線に対して行われる一方、予備充電は該第１の所定の走査線とは異なる第２の所定の走査線に対して行われ」という点で共通する。
　
　引用発明１の対象である「アクティブマトリックス型液晶表示装置」は、本願発明の対象である「マトリクス型画像表示装置」に相当する。
　
　したがって、本願発明と引用発明１とは以下の点で一致し、以下の点で相違する。
　
＜一致点＞
「マトリクス状に配置された複数の画素と該画素の各列に配置された複数のデータ信号線及び該画素の各行に対応して配置された複数の走査信号線と、各走査信号線から供給される走査信号に同期して各データ信号線から各画素に画像表示のための映像信号を取りこみ保持する表示部と、該複数のデータ信号線に所定のデータ信号線用タイミング信号に同期して映像信号を出力するデータ信号線駆動回路と、該複数の走査信号線に所定の走査信号線用タイミング信号に同期して走査信号を出力する走査信号線駆動回路とを備えたマトリクス型画像表示装置において、
　上記走査信号線駆動回路は、アクティブ駆動に際して、画素を本書き込みする前に該画素を予備充電しておくとともに、垂直方向先行側の画素を本書き込みするときには、該垂直方向先行側の画素と同極性の電位にて本書き込みを行うべき次の垂直方向後行側の画素に対しても同時に予備充電を行うと共に、
　本書き込みは第１の所定の走査線に対して行われる一方、予備充電は該第１の所定の走査線とは異なる第２の所定の走査線に対して行われる
　マトリクス型画像表示装置。」
　
＜相違点１＞
　走査信号線駆動回路は、アクティブ駆動に際して、本願発明では、物理的な最大垂直解像度よりも低い垂直解像度を持つ映像信号を映像ソースとして用いて表示するときに、垂直方向の互いに隣り合う一定複数個毎の走査信号線を１セットとして、該一定複数個毎に同時に順次駆動することにより、これら同時に駆動された該一定複数個の走査信号線に対応する画素行に同値の電位が書き込まれるのに対して、引用発明１では、そのように駆動されていない点。
　
＜相違点２＞
　走査信号線駆動回路は、アクティブ駆動に際して、本願発明では、物理的な最大垂直解像度よりも低い垂直解像度を持つ映像信号を映像ソースとして用いて表示するときに、画素を本書き込みする前に該画素を予備充電しておくとともに、垂直方向先行側の一定複数個の１セットの画素を本書き込みするときには、該垂直方向先行側の画素と同極性の電位にて本書き込みを行うべき次の垂直方向後行側の一定複数個の１セットの画素に対しても同時に予備充電を行うと共に、本書き込みは複数の第１セットの走査線に対して行われる一方、予備充電は該第１セットとは異なる第２セットの走査線に対して行われているのに対して、引用発明１では、そのように駆動されていない点。
　
５　判断
（１）相違点１
　上述したように、引用刊行物２には６４０×４００ドットの表示容量を持つ表示素子を備えた表示装置において、６４０×２００ラインの表示を行うときは、走査電極Ｙ１、Ｙ２を同時に選択し、続いて次の２電極Ｙ３、Ｙ４を同時に選択し、さらにＹ５、Ｙ６へと順次に２電極を同時選択していく２電極走査を行うことが記載されている。（上記３の（２）のア）
　引用刊行物１、２に記載の発明はいずれも、マトリクス型表示装置であり、引用刊行物１に記載された発明は、複数行毎に極性反転を行う場合にも適用できるものであり（上記記載事項２）、かつ表示制御の技術分野において、一つの表示装置に汎用性を持たせ、解像度が異なる各種の映像信号を表示させるようにすることは、周知の課題であるから、前記課題を解決するために、引用刊行物１に記載された発明に、引用刊行物２に記載の構成を適用して、物理的な最大垂直解像度よりも低い垂直解像度を持つ映像信号を映像ソースとして用いて表示するときに、垂直方向の互いに隣り合う一定複数個毎の走査信号線を１セットとして、該一定複数個毎に同時に順次アクティブ駆動するようにすることは、当業者が容易に想到し得ることであり、複数個毎の走査信号線を１セットとして同時に駆動されていることから、複数個の走査信号線に接続された画素に同値の電位が書き込まれることは明らかである。
　
　したがって、上記相違点１に係る本願発明の発明特定事項は、引用刊行物１、２に記載された発明に基づいて当業者が容易に想到し得ることである。
　
（２）相違点２
　上記「（１）相違点１」において検討したように、引用刊行物１に記載の発明に、引用刊行物２に記載の構成を適用することは、当業者が容易に想到し得ることであり、本書き込みが複数行同時に行われる場合は、本書き込みと同時に行われる予備充電は、次に同じ極性の電位で本書き込みが行われる複数行に対して行われるべきであることは当然である。
　
　したがって、上記相違点２に係る本願発明の発明特定事項は、引用刊行物１、２に記載された発明に基づいて当業者が容易に想到し得ることである。
　
　そして、本願発明によって奏される効果は、引用刊行物１、２の記載から当業者が予測し得る程度のものに過ぎない。
　
　したがって、本願発明は、引用刊行物１、２に記載された発明に基づいて当業者が容易に発明をすることができたものであるから、特許法第２９条第２項の規定により特許を受けることができない。
　
　なお、請求人は審判請求書を対象とする平成１８年５月１０日付け手続補正書（方式）において、「次に、刊行物Ａ〜Ｃに記載の発明と刊行物Ｄ〜Ｆに記載の発明との組み合わせについては以下の通りです。上述したように、刊行物Ａ〜Ｃに記載の発明では、本願発明と同様の問題（同一セットの最も下の信号線の電位変動の問題）は発生し得ませんので、これに対して、刊行物Ｄ〜Ｆに記載の発明を組み合わせることは、当業者にとって容易であるとは言いがたいものと考えます。」と主張している。
　
　しかしながら、上記「（１）相違点１」において検討したように、表示制御の技術分野において、一つの表示装置に汎用性を持たせ、解像度が異なる各種の映像信号を表示させるようにすることは周知の課題であるから、前記課題を解決するために、引用刊行物１、２に記載の発明を組み合わせることは、当業者が容易に想到し得ることであり、その結果として得られる構成は本願発明と同一の構成であるから、本願発明と同様の効果（同時に書き込まれる複数行の最も下行の画素が電位変動することによる表示むらを解消する効果）を奏することは明らかである。
　
６　むすび
　以上のとおり、本願発明は、引用刊行物１、２に記載された発明に基づいて当業者が容易に発明をすることができたものであるから、特許法第２９条第２項の規定により特許を受けることができない。
　
　よって、結論のとおり審決する。